(57)【要約】【課題】摺動方向前後の双方向に引き出し可能な引き出しを備えた収納であって、抽斗を収納の一側に引き出した際に、収納の他側面が凹まない構造のものを提案する【解決手段】収納フレーム１２に、摺動方向前後両側に引き出すことの可能な抽斗１３を備えた収納１０において、抽斗１３を、内箱１５と、該内箱１５の摺動方向前後両側に配設された面材１４・１４とで構成した。内箱１５は収納フレーム１２に形成された開口部に内挿され、面材１４・１４は、その開口を閉じるように開口縁に当接するように配置した。そして、抽斗１３に引き出すときに、内箱１５と引き出す方向側に配設された面材１４とを連結し、他側に配置された面材１４を収納フレーム１２に保持させるようにした。【選択図】図２
2005211267.tif 000002
【特許請求の範囲】
【請求項１】
収納フレーム内に、摺動方向前後双方向に引き出すことの可能な抽斗を備えた収納であって、
抽斗を、収納フレームに内挿された内箱と、内箱の摺動方向前後両側に配設された面材とで構成し、
抽斗に引き出すときに、内箱と内箱を引き出す方向側に配設された面材とが連結され、他側に配置された面材を収納フレームに保持された状態とする
ことを特徴とする収納。
【請求項２】
前記収納において、
内箱を収納フレームに形成された両端開放の開口に内挿し、
面材を開口の両端を閉塞するとともに開口縁に当接するように配置する、
請求項１に記載の収納。
【請求項３】
前記収納において、
面材に、引き手近傍に配設された操作部材に連動する係止部材を設け、
内箱に、前記係止部材と係止可能な係止部材を設ける、
請求項１または請求項２に記載の収納。
【請求項４】
前記収納において、
収納フレームの内部側面に、抽斗の摺動方向に延在する歯付レールを固設し、
内箱の側面に、抽斗の摺動方向に延在する歯付レールを固設し、
収納フレームと内箱とに設けた歯付レール間に、抽斗の摺動方向に延在し固定されない歯付レールを設け、
これらの歯付レール間に歯車を介在させる、
請求項１乃至請求項３のいずれかに記載の収納。
【発明の詳細な説明】
【技術分野】
【０００１】
本発明は、複数の方向に引き出し可能な抽斗を備えた収納の構造に関する。
【背景技術】
【０００２】
従来、対面式キッチン等に設けられる、キッチン側と食堂側との双方向にスライド可能な抽斗を備えたキッチン用収納が考案されている。例えば、特許文献１に記載の技術である。このようなキッチン用収納では、キッチン側と食堂側との双方向から抽斗を引き出すことができ、利便性の向上が図られている。
【０００３】
さらに、上述の双方向にスライド可能な抽斗を備えた収納においては、抽斗が格納位置に精確に納まらず微量にずれたり、いずれか一側に移動しすぎて抽斗が落下したり、等の不具合を解消するための技術が考案されている。例えば、特許文献２に記載の技術である。
【０００４】
【特許文献１】特開平５−２７７０１７号公報
【特許文献２】特開平１１−３１８６１１号公報
【発明の開示】
【発明が解決しようとする課題】
【０００５】
抽斗を収納のいずれか一側に引き出した際には、収納の他側の面が抽斗が引き出されたぶんだけ凹むことになる。例えば、キッチン側と食堂側との両側から引き出すことのできる抽斗を備えたキッチン用収納において、キッチン側に抽斗を引き出したときには、収納の食堂側の面が凹んでしまう。この場合、食堂側から見れば、どの抽斗を引き出してどのような作業を行っているかがわかることになり、また、収納の表面に凹みが発生することは収納の意匠性やインテリア性を低下させる虞がある。さらに、抽斗を操作しているのと反対側から凹みに手や指を入れた状態で、それを知らずに抽斗を納める操作してしまう事態が発生する虞がある。
そこで、本発明においては、摺動方向前後の双方向に引き出し可能な引き出しを備えた収納であって、抽斗を収納の一側に引き出した際に、収納の他側面が凹まない構造のものを提案する。
【課題を解決するための手段】
【０００６】
本発明の解決しようとする課題は以上の如くであり、次にこの課題を解決するための手段を説明する。
【０００７】
即ち、請求項１においては、収納フレーム内に、摺動方向前後双方向に引き出すことの可能な抽斗を備えた収納であって、抽斗を、収納フレームに内挿された内箱と、内箱の摺動方向前後両側に配設された面材とで構成し、抽斗に引き出すときに、内箱と内箱を引き出す方向側に配設された面材とが連結され、他側に配置された面材を収納フレームに保持された状態とするものである。
【０００８】
請求項２においては、前記収納において、内箱を収納フレームに形成された両端開放の開口に内挿し、面材を開口の両端を閉塞するとともに開口縁に当接するように配置するものである。
【０００９】
請求項３においては、前記収納において、面材に、引き手近傍に配設された操作部材に連動する係止部材を設け、内箱に、前記係止部材と係止可能な係止部材を設けるものである。
【００１０】
請求項４においては、前記収納において、収納フレームの内部側面に、抽斗の摺動方向に延在する歯付レールを固設し、内箱の側面に、抽斗の摺動方向に延在する歯付レールを固設し、収納フレームと内箱とに設けた歯付レール間に、抽斗の摺動方向に延在し固定されない歯付レールを設け、これらの歯付レール間に歯車を介在させるものである。
【発明の効果】
【００１１】
本発明の効果として、以下に示すような効果を奏する。
【００１２】
請求項１においては、抽斗を収納の前後双方向に引き出すことが可能な収納において、抽斗を収納の一側に引き出した際に、収納の他側面を凹まないものとすることができる。
【００１３】
請求項２においては、面材が開口縁に当接することによって、抽斗を格納する際の位置決めを行うことができ、格納時に抽斗が格納位置よりずれることを防止することができる。
【００１４】
請求項３においては、抽斗の一連の引き出し動作にて、面材と内箱との連結及び連結解除を行うことができる。
【００１５】
請求項４においては、収納フレームから抽斗全体を抽斗を落下させることなく引き出すことができる。
【発明を実施するための最良の形態】
【００１６】
次に、発明の実施の形態を説明する。
図１は本発明に係る収納の抽斗の動きを説明する図、図２は本発明に係る収納の構造を説明する図、図３は表示機構を説明する図である。
図４は第一実施例に係る収納の構造を説明する側面断面図、図５は抽斗の平面図、図６は面材と内箱との連結機構を示す側面図、図７は面材と内箱との連結機構を示す側面断面図、図８はレバーの操作位置保持機構を説明する図、図９は連結解除機構を示す側面図、図１０は内箱の支持機構を示す側面図、図１１は抽斗を引き出した状態の内箱の支持機構を示す側面図である。
図１２は第二実施例に係る収納の面材と内箱との連結機構を示す側面図、図１３は抽斗の平面図、図１４は第二実施例の別形態を示す側面図である。
図１５は第三実施例に係る収納の面材と内箱との連結機構を示す側面図、図１６は抽斗の平面図である。
図１７は第四実施例に係る収納の面材と内箱との連結機構を示す側面図、図１８は面材と内箱との非連結状態での押しボタンの構造を示す側面断面図、図１９は面材と内箱との連結状態での押しボタンの構造を示す側面断面図である。
図２０は第五実施例に係る収納の面材と内箱との連結機構を示す側面図、図２１は面材と内箱の非連結状態での連結機構を示す側面断面図、図２２は面材と内箱の連結状態での連結機構を示す側面断面図である。
【００１７】
図１に示す如く、本発明に係る収納１０では、抽斗１３を摺動可能に内装する収納フレーム１２から、抽斗１３を摺動方向前後両側に引き出し可能である。本実施例においては、収納１０の一例として、収納フレーム１２の天部に天板１１を設けた対面式のカウンターを採用して説明している。但し、本発明は本実施例に限定されるものではなく、収納１０は、例えば、抽斗１３を備えたクローゼットとしたり、キャビネットとしたりすることができる。
【００１８】
図２に示す如く、収納１０の抽斗１３は、上部開放の箱体である内箱１５と、内箱１５の摺動方向前後それぞれに配設された面材１４（１４Ａ）・１４（１４Ｂ）とで構成されている。
内箱１５は、収納フレーム１２に形成され、収納１０の一側であるＡ側と、Ａ側の反対側であるＢ側との両方向に開放した開口１２ｅに摺動可能に挿入されている。なお、内箱１５の下面に設けたローラ１６と、収納フレーム１２に形成された開口１２ｅの抽斗１３の摺動面１２ｂに設けられたレール１７とで、抽斗１３は収納１０のＡ側とＢ側との双方向に軽やかに摺動することができる。
また、面材１４・１４は、収納フレーム１２に形成され内箱１５を内挿している開口１２ｅのＡ側とＢ側とを閉塞するように配置され、いずれも開口縁１２ｆに当接している。面材１４・１４の表面は、収納フレーム１２の側面を形成する面材１２ａ・１２ａの表面と、面一となるように配置され、面材１４・１４と面材１２ａ・１２ａとで、収納１０のＡ側とＢ側との表面を形成している。
【００１９】
そして、図２（ａ）に示す如く、上述の如く構成された抽斗１３をＡ側に引き出すときには、内箱１５の引き出す側（Ａ側）に配置された面材１４（１４Ａ）が内箱１５とともに引き出され、反対側（Ｂ側）の面材１４（１４Ｂ）は収納フレーム１２に保持される。また、図２（ｂ）に示す如く、抽斗１３をＢ側に引き出すときには、内箱１５の引き出す側（Ｂ側）に配置された面材１４（１４Ｂ）が内箱１５とともに引き出され、反対側（Ａ側）の面材１４（１４Ａ）は収納フレーム１２に保持される。
【００２０】
なお、いずれの方向に抽斗１３が引き出されているかは、表示機構により知ることができる。
図３に示す如く、収納１０の収納フレーム１２には、内箱１５の両側の面材１４（１４Ａ）・１４（１４Ｂ）の近傍に、表示機構の表示手段としての表示ランプ９７・９７が設けられている。抽斗１３が一側に引き出されているとき、収納１０の他側面に設けられた表示ランプ９７が点灯し、収納１０の一側にいる人が、他側へ抽斗１３が引き出されている状態にあることを知ることができる。そして、抽斗１３がいずれの側へも引き出されていないときには表示ランプ９７・９７はいずれも消灯状態である。
収納フレーム１２には、表示ランプ９７・９７と電気的に接続された検出手段９８・９８が設けられており、その検出部９８ａ・９８ａが収納フレーム１２に保持されている状態の面材１４・１４と接触している。そして、いずれか一側に抽斗１３が引き出されて一側の面材１４が収納フレーム１２から離れ、検出手段９８と面材１４との接触が解除されると、収納フレーム１２の他側面に設けられた表示ランプ９７が点灯され、また、抽斗１３が収納フレーム１２に格納されると、検出手段９８と面材１４とが接触して、収納フレーム１２の他側面に設けられた表示ランプ９７が消灯される。なお、本実施例では検出手段９８・９８は接触検出型センサとしているが、光検出型センサとすることもできる。
【００２１】
上述の如く、抽斗１３が引き出される方向と反対側に位置する面材１４が収納フレーム１２に保持されるため、収納１０の抽斗１３が引き出されるのと反対側面には凹みが生じない。従って、例えば、収納１０をキッチンとダイニングとの間に配置するカウンターとする場合、キッチン側からの抽斗１３の引き出し操作をダイニングから見えないようにすることができ、客人が来た際等に、キッチンでの手元・足下の作業を見せないようにすることができ、また、ダイニング側から収納１０としてのカウンターを見た際に、表面に凹みが生じないため、インテリア性を損ねることがない。さらに、抽斗１３を引き出し操作しない側の面が凹まないため、収納１０の一側から引き出しを引き出し操作する場合に、他側から抽斗１３が引き出されたことにより生じる凹みにものを挟む虞がない。
【００２２】
また、Ａ側の面材１４（１４Ａ）と内箱１５と、及び、Ｂ側の面材１４（１４Ｂ）と内箱１５とは、それぞれ独立して連結したり独立したりすることができるので、抽斗１３を収納フレーム１２へ格納する際に、内箱１５と連結されている面材１４が収納フレーム１２に形成された開口１２ｅの開口縁１２ｆに当接することによって位置決めすることができ、抽斗１３が収納フレーム１２の格納位置に精確に納まらず微量にずれたり、いずれか一側に移動しすぎて抽斗１３が落下したり、等の不具合を解消することができる。
【００２３】
次に、面材１４と内箱１５との連結及び連結解除機構と、収納フレーム１２への面材１４・１４の保持機構について説明する。
【００２４】
（第一実施例）
まず、本発明に係る第一実施例について説明する。
図４及び図５に示す如く、収納フレーム１２への面材１４・１４の保持機構として、収納フレーム１２に形成された内箱１５を内挿するための開口１２ｅの開口縁１２ｆを形成する天板１１と収納フレーム１２との、面材１４・１４の当接部分に、磁石２２・２４が取り付けられ、面材１４・１４のこれらの磁石２２・２４に当接する位置に磁石２１・２３が取り付けられ、磁石２１・２２・２３・２４の磁力を利用して、面材１４・１４が収納フレーム１２に形成された内箱１５を内挿するための開口１２ｅの開口縁１２ｆに、該開口１２ｅを閉塞する状態に保持されるようにしている。
なお、磁石２１・２２・２３・２４の磁力は、抽斗１３を引き出すときに、収納フレーム１２から面材１４を引き離すことができ、また、他に外力を受けない状態で収納フレーム１２に面材１４が落下することなく保持される程度とする。
【００２５】
また、面材１４・１４と、内箱１５との間には連結機構が構成されている。この連結機構により、面材１４と内箱１５とは、互いに独立したり、連結したりすることができる。図４に示す如く、内箱１５の摺動方向前後両側に配置される各面材１４・１４と内箱１５との間に構成された連結機構は略同様であり、ここでは一側の面材１４と内箱１５との間に設けられた連結機構について詳細に説明する。
【００２６】
図５に示す如く、抽斗１３の左右両端部に略左右対称の構成の連結機構が設けられている。図５及び図６に示す如く、内箱１５の側面には、ガイド溝状の係止部材２８が設けられている。また、面材１４には、抽斗１３の引手部１４ｃに設けられ、揺動軸３２を中心として揺動する操作部材としてのレバー３１と、該レバー３１の端部に挿通された軸３０と、面材１４から内箱１５側に突出するステー２５と、ステー２５と軸３０との間に架設された操作ワイヤ２７と、操作ワイヤ２７上に設けられた係止片２９とで構成されている。
【００２７】
そして、図７に示す如く、抽斗１３を引き出そうとして引手部１４ｃに手を挿入してレバー３１を上方へ回動操作すると、レバー３１は揺動軸３２を中心として揺動し、該レバー３１の端部に設けられた軸３０は揺動軸３２を中心として上方へ回動する。これにより、操作ワイヤ２７が緊張され、係止片２９が係止部材２８に係止され、面材１４と内箱１５とが連結される。但し、係止部材２８下部にはワイヤ２７を挿入できる溝２８ａが形成されている。このように、抽斗１３を引き出す一連の操作にて、面材１４と内箱１５との連結及び連結解除操作を行うことができる。
【００２８】
なお、図５及び図８に示す如く、レバー３１は上方へ回動操作された状態に保持されるように保持機構３７が設けられている。揺動軸３２上には、軸方向に進退可能な係止爪５６ａ付きボス５６が設けられており、ボス５６の外周には操作位置係止歯５５ａと非操作位置係止歯５５ｂとが形成された環状部材５５が設けられている。ボス５６はレバー３１と一体的に回動し、環状部材５５は位置固定され、レバー３１は下方へ回動するように図示しない付勢部材により付勢されている。
そして、レバー３１が上方へ回動されると、係止爪５６ａが操作位置係止歯５５ａに係止されて、レバー３１は上方へ回動した状態（図８位置Ｄ）に保持される。そして、さらにレバー３１を上方へ回動操作すると、環状部材５５の内周部に押圧されて係止爪５６ａが軸方向へ後退し、レバー３１は付勢されているため付勢方向である下方に回動して、今度は非操作位置係止歯５５ｂに再び突出した係止爪５６ａが係止されて、レバー３１は非操作位置（図８位置Ｃ）に保持される。
【００２９】
上述の如く、レバー３１には、操作位置の保持機構３７が設けられて、抽斗１３を引き出した状態においても、レバー３１を回動操作した状態に保持することができるため、係止片２９と係止部材２８との係止状態を保持させておくことができ、また、レバー３１を操作することによって係止状態を解除して、面材１４と内箱１５との連結を解除することができる。
【００３０】
なお、図６に示す如く、収納フレーム１２に形成された開口１２ｅ内に、固設されたステー４０に板バネ４１が取り付けられて、補助的連結解除機構３８が構成されている。図９に示す如く、面材１４と内箱１５とが連結されており係止部材２８に係止片２９が係止された状態において、抽斗１３を収納フレーム１２に格納する際に、操作ワイヤ２７に板バネ４１が当接して、操作ワイヤ２７を下方へ押し下げる。これにより、レバー３１での連結解除操作で係止部材２８と係止片２９との係合が解除されなかった場合でも、抽斗１３を収納フレーム１２に格納することで確実に係合が解除される。
【００３１】
また、面材１４と内箱１５の補助的連結機構として、面材１４の内箱１５側に突出する連結突起３３と、内箱１５の面材との連結面に形成された連結孔１５ａとが設けられている。連結突起３３は、連結孔１５ａに挿通可能であり、抽斗１３が収納１０の格納位置にある際には、内箱１５の摺動方向前後両側の面材１４に形成された全ての連結孔１５ａに連結突起３３が挿入された状態であり、いずれか一側の面材１４と内箱１５とが連結されて収納フレーム１２より引き出される際には、内箱１５の移動により、他側の面材１４に設けられた連結突起３３は、連結孔１５ａから抜き出される。
上記連結機構に加え、この補助的連結機構を設けることによって、より確実に内箱１５と面材１４とを固定することができる。
【００３２】
なお、抽斗１３は、抽斗１３全体が収納フレーム１２より引き出すことができるように、収納フレーム１２と内箱１５との間に支持機構９０が形成されている。
支持機構９０は、内箱１５の左右両側に設けられており、図１０に示す如く、内箱１５に固設された歯付レール９１と、収納フレーム１２の内周部に固定された歯付レール９３と、歯付レール９１と歯付レール９３との間に位置する歯付自由レール９２と、歯付レール９１と歯付自由レール９２との間に設けられ、これらのレールの歯に噛合している歯車９４と、歯付レール９３と歯付自由レール９２との間に設けられ、これらのレールの歯に噛合している歯車９５とで構成されている。歯車９４と歯車９５とは複数設けることができる。
そして、図１１に示す如く、抽斗１３を収納フレーム１２より引き出すと、歯付レール９１と歯付自由レール９２との間で歯車９４が回転し、歯付レール９３と歯付自由レール９２との間で歯車９５が回転する。こうして、抽斗１３全体が引き出された状態でも、歯付自由レール９２と歯車９４と歯車９５とを介して、歯付レール９３に歯付レール９１が支持される。従って、収納フレーム１２から抽斗１３全体を引き出すことが可能であり、収納フレーム１２から抽斗１３全体を引き出しても抽斗１３が落下することがない。
【００３３】
（第二実施例）
次に、面材１４と内箱１５との連結及び連結解除機構の第二実施例について説明する。
図１２及び図１３に示す如く、内箱１５の側面に係止突起８０が設けられている。また、面材１４には、抽斗１３の引手部１４ｃに設けられたレバー３１と、レバー３１の端部に固設された軸３０と、面材１４に設けられた軸８２ｂを中心として回動可能に支承された係止部材８２と、係止部材８２と軸３０との間に架設された操作ワイヤ８１とで構成されている。従って、レバー３１を操作することによって、軸３０と操作ワイヤ８１とを介して係止部材８２が軸８２ｂを中心として回動操作される。
また、収納フレーム１２に固設された軸４４と、該軸４４に固定された板バネ４３とで、補助的連結解除機構３８が構成されている。板バネ４３は係合状体にある係止部材８２が当接可能に配置され、補助的連結解除機構３８により、抽斗１３を収納フレーム１２に格納する際に、確実に係止突起８０と係止部材８２との係合を解除できるようにしている。
【００３４】
そして、抽斗１３を引き出そうとして引手部１４ｃに手を挿入してレバー３１を上方へ回動操作すると、レバー３１は揺動軸３２を中心として上方へ揺動し、該レバー３１の端部に固設された軸３０が上方へ回動する。これにより、操作ワイヤ８１が緊張され、係止部材８２が軸８２ｂを中心として上方へ回動され、係止突起８０に係止部材８２に形成された係止部８２ａが係止され、面材１４と内箱１５とが連結される。このように、抽斗１３を引き出す一連の操作にて、面材１４と内箱１５との連結及び連結解除操作を行うことができる。
レバー３１には、上方へ回動操作した状態にレバー３１の操作位置を保持する保持機構３７が設けられており、抽斗１３を引き出した状態においても、係止突起８０と係止部材８２の係止部８２ａとの係止状態を保持させておくことができ、また、レバー３１を操作することによって係止状態を解除して、面材１４と内箱１５との連結を解除することができる。
【００３５】
なお、収納フレーム１２に抽斗１３が格納されているときの、収納フレーム１２への面材１４の保持機構を設けることができる。
図１４に示す如く、面材１４において、係止部材８２の下方に、面材１４に設けられた軸５８ｂを中心として回動可能に支承された係止部材５８を設け、係止部材８２と係止部材５８との間に連動部材５７を架設し、一方、収納フレーム１２側には、係止部材５８と係合する係止突起５９が設けられている。
そして、面材１４と内箱１５との連結動作が行われ、係止部材８２が回動すると、これに連動して係止部材５８が回動し、係止部材５８と係止突起５９との係合が解除される。また、面材１４と内箱１５との連結解除動作が行われると、係止部材８２が回動に同期して係止部材５８が回動し、係止部材５８と係止突起５９とが係合される
【００３６】
（第三実施例）
次に、面材１４と内箱１５との連結及び連結解除機構の第三実施例について説明する。
図１５及び図１６に示す如く、内箱１５の側面に係止突起８５が設けられている。また、面材１４には、面材１４より内箱１５側へ突出した上下動可能な係止部材８６が設けられている。係止部材８６は、抽斗１３の引手部１４ｃに設けられた操作部材としてのレバー８７により操作され、レバー８７と係止部材８６とは連動部材８８により連結されており、レバー８７を上方へ押圧操作することにより、係止部材８６が上方へ移動し、係止突起８５と係止部材８６とが係止され、面材１４と内箱１５とが連結される。
【００３７】
なお、レバー８７には操作位置保持機構８９が設けられている。レバー８７は面材１４の内部に形成された摺動孔に上下摺動可能に保持され、付勢部材により下方へ付勢されており、また、レバー８７の周囲には進退可能な係止爪が形成されている。さらに、レバー８７に形成された係止爪が係止可能な操作位置係止歯と被装載置係止歯とが、レバー８７の摺動孔の上下に形成されている。
そして、レバー８７を上方へ押圧操作することにより、レバー８７の係止爪と、操作位置係止歯とが係合して、レバー８７が上方へ操作した位置に保持される。この状態でさらにレバー８７を上方へ押圧操作することにより、摺動孔の内周形状により押圧されて係止爪がレバー８７の内部へ後退して、レバー８７が下方へ移動し、今度は、非操作位置係止歯にレバー８７の係止爪が係止して、レバー８７が操作しない位置に保持される。
【００３８】
上述の如く、レバー８７の操作位置保持機構８９を設けることによって、抽斗１３を引き出した状態でレバー８７を操作を保持せずとも、係止突起８５と係止部材８６との係止を保持して面材１４と内箱１５との連結状態を保持することができる。また、レバー８７を操作することによって係止突起８５と係止部材８６との係止状態を解除して、面材１４と内箱１５との連結を解除することができる。
【００３９】
（第四実施例）
次に、面材１４と内箱１５との連結及び連結解除機構の第四実施例について説明する。
図１７及び図１８に示す如く、内箱１５の面材１４側面には、係止部材４６・４７が固設されている。また、面材１４の内箱１５側面には、押しボタン４５の操作によって上下動可能な係止片４８・４９が設けられている。係止片４８・４９は同期して動き、押しボタン４５を操作することによって、係止片４８が上方へ動いて係止部材４６に係合し、係止片４９が下方へ動いて係止部材４７に係合して、面材１４と内箱１５とが連結される。また、押しボタン４５を操作することによって、係止片４８が下方へ動いて係止部材４６との係止が解除され、係止片４９が下方へ動いて係止部材４７との係止が解除され、面材１４と内箱１５との連結が解除される。
【００４０】
図１８及び図１９に示す如く、係止片４８と係止片４９とは側面視略Ｌ字状であって、垂直部４８ａ・４９ａと、水平部４８ｂ・４９ｂとで形成されており、図示せぬ付勢部材により係止片４８は上方へ、係止片４９は下方へ付勢されている。係止片４８と係止片４９とが逆方向に付勢されるため、より強固に面材１４と内箱１５とを連結させることができる。
そして、係止片４８・４９の各水平部４８ｂ・４９ｂを係止溝５１ａで係止可能な係止部材５１と、ボタン部材５２とで押しボタン４５が構成され、係止部材５１とボタン部材５２とは、それぞれに形成された係止部５１ｃ・５２ｃにて、回動可能に連結されている。
【００４１】
係止部材５１とボタン部材５２は面材１４に形成された保持孔１４ｄに挿入されている。保持孔１４ｄには、ボタン部材５２の押し込み方向の動きを規制する規制部１４ｅと、ボタン部材５２に形成された突起５２ａ若しくは係止部材５１の付勢部材受５１ｂが当接することによってボタン部材５２の飛び出し方向への動きを規制する規制部１４ｆと、係止部材５１に形成された付勢部材受５１ｂとの間に配置する付勢部材５０の付勢力を受けるための付勢部材受１４ｇとが、形成されている。
【００４２】
また、係止部材５１とボタン部材５２との間には、ボタン部材５２を一定方向に回転するように付勢する付勢部材５３が設けられている。また、規制部１４ｆの突起５２ａの当接部分には、突起５２ａを回転方向へ送り出す谷と、回転を規制する山と、回転方向へ送り出す谷と、規制部１４ｆと規制部１４ｅとを連通する溝１４ｈとが、交互に形成されている。これにより、ボタン部材５２は押圧操作ごとに付勢部材５３の付勢を受けて所定の角度だけ回転し、ボタン部材５２の回転位置によって、突起５２ａが規制部１４ｆに当接して飛び出し方向の動きが規制されたり、突起５２ａが溝１４ｈを通過して飛び出し方向に移動し、付勢部材受５１ｂが規制部１４ｆに当接して飛び出し方向の動きが規制されたりする。
【００４３】
図１８は、面材１４と内箱１５との連結が解除された状態である。このとき、係止片４８・４９の水平部４８ｂ・４９ｂは、係止溝５１ａに挿入されて係止され、また、突起５２ａは規制部１４ｆに当接して飛び出し方向への動きが規制されている。
この面材１４と内箱１５との連結が解除された状態から、ボタン部材５２を押すと、図１９に示す如く、付勢部材５３の付勢を受けてボタン部材５２が回転し、突起５２ａが溝１４ｈを通過し、付勢部材受５１ｂが規制部１４ｆに当接して飛び出し方向の動きが規制されるまで、ボタン部材５２が飛び出し方向に移動する。ボタン部材５２の飛び出し方向への移動に伴って、係止部材５１も飛び出し方向へ移動し、これにより係止溝５１ａによる係止片４８・４９の係止が解除される。この結果、係止片４８は上方へ移動して係止部材４６と係合し、係止片４９は下方へ移動して係止部材４７と係合して、面材１４と内箱１５とが連結される。
【００４４】
なお、再度、面材１４と内箱１５との連結が解除された状態とするためには、押しボタン４５のボタン部材５２を押すと、突起５２ａが溝１４ｈを通過してボタン部材５２が押し込み方向に移動し、付勢部材５３の付勢を受けてボタン部材５２が回転し、突起５２ａが規制部１４ｆに当接して飛び出し方向の動きが規制される。このとき、ボタン部材５２の押し込み方向への移動に伴って、係止部材５１も押し込み方向へ移動し、これにより係止溝５１ａに係止片４８・４９が挿入されて係止される。この結果、係止片４８は下方へ移動して係止部材４６との係合が解除され、係止片４９は上方へ移動して係止部材４７との係合が解除されて、面材１４と内箱１５との連結が解除される。
【００４５】
上述の如く、第四実施例の収納１０では、押しボタン４５の押圧操作にて面材１４と内箱１５との連結及び連結解除操作をすることができる。従って、抽斗１３を引き出すときには、まず、押しボタン４５を押圧操作して面材１４と内箱１５とを連結させてから、引手部１４ｃをもって抽斗１３を収納フレーム１２より引き出し操作する。また、抽斗１３を収納フレーム１２に格納するときには、抽斗１３を格納方向へ移動させたのち、押しボタン４５を操作することによって、面材１４と内箱１５との連結を解除させる。
【００４６】
（第五実施例）
次に、面材１４と内箱１５との連結及び連結解除機構の第五実施例について説明する。
図２０及び図２１に示す如く、収納１０の天板１１に制御装置６７・６７が設けられており、該制御装置６７・６７に設けられた操作パネル６８・６８にて、面材１４と内箱１５との連結と連結解除とを操作することができる。
なお、二つの制御装置６７・６７は連動しており、両側の面材１４・１４が同時に内箱１５に連結されないように制御される。また、操作パネル６８・６８に、内箱１５と面材１４との連結状態を表示するように構成することもできる。
【００４７】
制御装置６７には操作パネル６８と、モータ６９と、操作レバー７０とが備えられており、操作パネル６８に入力された情報に応じて操作レバー７０がモータ６９にて上下動される。
【００４８】
内箱１５の側面には係止片７１が突設されており、該係止片７１に係止可能な係止部７２ａを一側端部に形成した係止部材７２が、面材１４より内箱１５側に突設されている。係止部材７２は軸７２ｃを中心として回動可能に面材１４に支承されており、係止部材７２の係止部７２ａと軸７２ｃとの間には、伝達部材７５の下端が支承されている。また、面材１４内部には、操作部材７３が上下摺動可能に設けられるとともに、付勢部材７４にて上方へ付勢されており、該操作部材７３に伝達部材７５の上端が支承されている。操作部材７３の上端には、操作レバー７０が当接可能であり、操作部材７３は操作レバー７０に押圧されることにより上下動操作される。
【００４９】
図２２では、面材１４と内箱１５とが連結されていない状態が示されており、操作レバー７０は、天板１１より下方に突出しない状態である連結操作位置にある。このとき、操作部材７３は操作レバー７０の押圧を受けず、面材１４の内部形状により規制を受けるまで付勢部材７４の付勢により上方へ移動した位置に保持されている。これにより、該操作部材７３に伝達部材７５を介して連動連結された係止部材７２は、上方へ回動した位置であって、係止部７２ａが係止片７１に係止された状態に保持され、面材１４と内箱１５とが連結されている。
【００５０】
そして、操作パネル６８にて連結解除操作を行うと、モータ６９にて操作レバー７０が降下操作され、天板１１より下方に突出し、操作レバー７０の下端が操作部材７３に当接して操作部材７３を押し下げる。このとき、操作部材７３に伝達部材７５を介して連動連結された係止部材７２は軸７２ｃを中心として下方へ回動し、係止部７２ａと係止片７１との係止が解除され、面材１４と内箱１５との連結が解除される。
なお、面材１４と内箱１５との連結が解除されている状態では、操作レバー７０が天板１１と面材１４とに挿通されることにより、面材１４は面方向へ移動することができず、面材１４が収納フレーム１２に保持されることとなる。
【図面の簡単な説明】
【００５１】
【図１】本発明に係る収納の抽斗の動きを説明する図。
【図２】本発明に係る収納の構造を説明する図。
【図３】表示機構を説明する図。
【図４】第一実施例に係る収納の構造を説明する側面断面図。
【図５】抽斗の平面図。
【図６】面材と内箱との連結機構を示す側面図。
【図７】面材と内箱との連結機構を示す側面断面図。
【図８】レバーの操作位置保持機構を説明する図。
【図９】連結解除機構を示す側面図。
【図１０】内箱の支持機構を示す側面図。
【図１１】抽斗を引き出した状態の内箱の支持機構を示す側面図。
【図１２】第二実施例に係る収納の面材と内箱との連結機構を示す側面図。
【図１３】抽斗の平面図。
【図１４】第二実施例の別形態を示す側面図。
【図１５】第三実施例に係る収納の面材と内箱との連結機構を示す側面図。
【図１６】抽斗の平面図。
【図１７】第四実施例に係る収納の面材と内箱との連結機構を示す側面図。
【図１８】面材と内箱との非連結状態での押しボタンの構造を示す側面断面図。
【図１９】面材と内箱との連結状態での押しボタンの構造を示す側面断面図。
【図２０】第五実施例に係る収納の面材と内箱との連結機構を示す側面図。
【図２１】面材と内箱の非連結状態での連結機構を示す側面断面図。
【図２２】面材と内箱の連結状態での連結機構を示す側面断面図。
【符号の説明】
【００５２】
１０  収納
１１  天板
１２  収納フレーム
１３  抽斗
１４  面材
１５  内箱
【図１】
2005211267.tif 000003
【図２】
2005211267.tif 000004
【図３】
2005211267.tif 000005
【図４】
2005211267.tif 000006
【図５】
2005211267.tif 000007
【図６】
2005211267.tif 000008
【図７】
2005211267.tif 000009
【図８】
2005211267.tif 000010
【図９】
2005211267.tif 000011
【図１０】
2005211267.tif 000012
【図１１】
2005211267.tif 000013
【図１２】
2005211267.tif 000014
【図１３】
2005211267.tif 000015
【図１４】
2005211267.tif 000016
【図１５】
2005211267.tif 000017
【図１６】
2005211267.tif 000018
【図１７】
2005211267.tif 000019
【図１８】
2005211267.tif 000020
【図１９】
2005211267.tif 000021
【図２０】
2005211267.tif 000022
【図２１】
2005211267.tif 000023
【図２２】
2005211267.tif 000024